(57)【特許請求の範囲】
【請求項１】
透液性の表面シートと、不透液性の裏面シートと、前記表面シートと前記裏面シートとの間に介装され、体液を吸収する吸収体と、を備え、前記表面シート上にインナーパッドが配置される吸収性物品において、
当該吸収性物品に配置された前記インナーパッドの前記表面シート側には、体液を吸収したか否かを判別する体液吸収表示部が設けられており、
前記吸収体は、前記インナーパッドが当該吸収性物品に配置された際に、前記体液吸収表示部が位置する部分の少なくとも一部に貫通穴部が形成された本体部と、前記本体部を包むように配置されたシート材と、を備え、
前記本体部は、高吸収性ポリマーを含んで形成され、
前記シート材の前記貫通穴部に相当する位置に、開孔を設けることにより形成された一方の面側から他方の面側を視認可能なシート材視認部を備え、
前記シート材における、前記表面シート側の前記シート材視認部と前記裏面シート側の前記シート材視認部とが接着されており、
前記表面シートにおける前記吸収体の前記貫通穴部に相当する位置に、前記体液吸収表示部の少なくとも一部が、前記裏面シート側から視認可能となるように構成された第１視認部が形成され、
前記裏面シートにおける前記吸収体の前記貫通穴部に相当する位置に、前記体液吸収表示部の少なくとも一部が、外部から前記第１視認部を介して視認可能となるように構成された第２視認部が形成されていることを特徴とする吸収性物品。
【請求項２】
前記第１視認部は、透明若しくは半透明のシートにより形成されていることを特徴とする請求項１に記載の吸収性物品。
【請求項３】
前記第２視認部は、透明若しくは半透明のシートにより形成されていることを特徴とする請求項１又は２に記載の吸収性物品。
【請求項４】
前記第２視認部に、所定の模様が形成されていることを特徴とする請求項１〜３の何れか一項に記載の吸収性物品。
【請求項５】
前記裏面シートに、前記第２視認部を覆う蓋部が開閉自在に設けられていることを特徴とする請求項１〜４の何れか一項に記載の吸収性物品。
【発明の詳細な説明】
【技術分野】
【０００１】
本発明は、吸収性物品に関するものである。
【背景技術】
【０００２】
従来、使い捨て紙おむつ等に代表される吸収性物品は、不透液性の裏面シートと、透液性の表面シートと、当該裏面シートと表面シートとの間に腹側部から背側部にかけて介装される吸収体等と、表面シートの吸収体の左右両端に相当する位置に長手方向に沿って設けられて当該表面シートから起立する立体ギャザーシート等を備えて構成されている。そして、表面シートの左右の立体ギャザーシートの間に長手方向に沿って設けられて当該表面シートから起立する左右一対の突出部を備え、当該左右の突出部の間にインナーパッドを配置できる紙おむつも知られている（例えば、特許文献１）。そして、当該インナーパッドを交換することにより、紙おむつを取り替える回数を低くしている。
【０００３】
また、裏面シートの吸収体側の面に濡れることによって色が変わる図柄模様からなるインジケータを設け、ユーザが交換時期を判断しやすくした吸収性物品も知られている（例えば、特許文献２）。
【特許文献１】特開２００４−０２４３０８号公報
【特許文献２】特開２００４−２９８５７１号公報
【発明の開示】
【発明が解決しようとする課題】
【０００４】
しかしながら、インナーパッドのバックシートにインジケータを設けても、紙おむつに配置すると当該インジケータを見ることができないため、インナーパッドの交換時期かどうかを調べるには、紙おむつをその度ごとに外さなければならず、面倒である。また、介護の場面で当該インナーパッド及び紙おむつが使用される場合では、介護者に負担をかけることとなる。
【０００５】
本発明の課題は、インナーパッドの交換時期を容易に判断できる吸収性物品を提供することである。
【課題を解決するための手段】
【０００８】
請求項１記載の発明は、透液性の表面シートと、不透液性の裏面シートと、前記表面シートと前記裏面シートとの間に介装され、体液を吸収する吸収体（１２０）と、を備え、前記表面シート上にインナーパッドが配置される吸収性物品（例えば、紙おむつ１ａ）において、
当該吸収性物品に配置された前記インナーパッドの前記表面シート側には、体液を吸収したか否かを判別する体液吸収表示部が設けられており、
前記吸収体は、前記インナーパッドが当該吸収性物品に配置された際に、前記体液吸収表示部が位置する部分の少なくとも一部に貫通穴部（１２０ｆ）が形成された本体部（１２０ｅ）と、前記本体部を包むように配置されたシート材（１２０ｄ）と、を備え、
前記本体部は、高吸収性ポリマーを含んで形成され、
前記シート材の前記貫通穴部に相当する位置に、開孔を設けることにより形成された一方の面側から他方の面側を視認可能なシート材視認部（１２０ｇ）を備え、
前記シート材における、前記表面シート側の前記シート材視認部と前記裏面シート側の前記シート材視認部とが接着されており、
前記表面シートにおける前記吸収体の前記貫通穴部に相当する位置に、前記体液吸収表示部の少なくとも一部が、前記裏面シート側から視認可能となるように構成された第１視認部が形成され、
前記裏面シートにおける前記吸収体の前記貫通穴部に相当する位置に、前記体液吸収表示部の少なくとも一部が、外部から前記第１視認部を介して視認可能となるように構成された第２視認部が形成されていることを特徴とする。
【００１０】
請求項２に記載の発明は、請求項１に記載の吸収性物品において、
前記第１視認部は、透明若しくは半透明のシートにより形成されていることを特徴とする。
【００１１】
請求項３に記載の発明は、請求項１又は２に記載の吸収性物品において、
前記第２視認部は、透明若しくは半透明のシートにより形成されていることを特徴とする。
【００１２】
請求項４に記載の発明は、請求項１〜３の何れか一項に記載の吸収性物品において、
前記第２視認部（１００ｄ）に、所定の模様（Ｍ）が形成されていることを特徴とする。
【００１３】
請求項５に記載の発明は、請求項１〜４の何れか一項に記載の吸収性物品において、
前記裏面シート（１００ｂ）に、前記第２視認部を覆う蓋部（３００）が開閉自在に設けられていることを特徴とする。
【発明の効果】
【００１６】
請求項１記載の発明によれば、インナーパッドが吸収性物品に配置された際に、吸収体の本体部に形成された貫通穴部と、シート材のシート材視認部と、表面シートの第１視認部と、裏面シートの第２視認部と、を介して、インナーパッドの体液吸収表示部の少なくとも一部が外部から視認可能となるように構成されているので、吸収性物品を外さずとも、体液を吸収したか否かを判別する体液吸収表示部を確認することができることとなって、インナーパッドの交換時期を容易に判断することができる。
また、予め貫通穴部が形成された吸収体の本体部を用いるので、吸収体をくり貫いて貫通穴部を形成する場合に比べて、無駄を少なくすることができる。
【００１７】
また、シート材において、表面シート側のシート材視認部と裏面シート側のシート材視認部とが接着されているので、シート材のシート材視認部が密着されることでインナーパッドの体液吸収表示部がより視認しやすくなることとなって、インナーパッドの交換時期をより容易に判断することができる。
【００１８】
請求項２記載の発明によれば、請求項１に記載の発明と同様の効果が得られることは勿論のこと、特に、第１視認部は、透明若しくは半透明のシートにより形成されているので、当該第１視認部を介してインナーパッドの体液吸収表示部を確実に視認できることとなって、インナーパッドの交換時期をさらに容易に判断することができる。
【００１９】
請求項３記載の発明によれば、請求項１又は２に記載の発明と同様の効果が得られることは勿論のこと、特に、第２視認部は、透明若しくは半透明のシートにより形成されているので、当該第２視認部を介してインナーパッドの体液吸収表示部を確実に視認できることとなって、インナーパッドの交換時期をさらに容易に判断することができる。
【００２０】
請求項４記載の発明によれば、請求項１〜３の何れか一項に記載の発明と同様の効果が得られることは勿論のこと、特に、第２視認部に、所定の模様が形成されているので、当該模様により体液吸収表示部を適度に隠すことができることとなって、当該吸収性物品の着用者の着用に対する抵抗感を低減することができる。
【００２１】
請求項５記載の発明によれば、請求項１〜４の何れか一項に記載の発明と同様の効果が得られることは勿論のこと、特に、裏面シートに、第２視認部を覆う蓋部が開閉自在に設けられているので、当該蓋部により必要でない場合には、外部からインナーパッドの体液吸収表示部が視認されないこととなって、当該吸収性物品の着用者の着用に対する抵抗感をより低減することができる。
【発明を実施するための最良の形態】
【００２２】
以下、図を参照して、本発明に係る吸収性物品を実施するための最良の形態を詳細に説明する。本実施形態では、吸収性物品として、特に、成人用の使い捨て紙おむつを一例として、以下で説明する。
【００２３】
（第１の実施形態）
図１は、本発明の第１の実施形態に係る使い捨て紙おむつを展開した斜視図である。また、図２は、使い捨て紙おむつの着用時の状態に組立てた斜視図であり、図３は、平面展開図である。また、図４（ａ）に図１のＡ−Ａ矢視断面図を示し、図４（ｂ）に図１のＢ−Ｂ矢視断面図を示す。
図１〜図３に示すように、使い捨て紙おむつ（以下、紙おむつという。）１は、紙おむつ本体１０と、この紙おむつ本体１０を人体に装着するための止着部２０，２０と、止着部２０を係止させるための被着部３０とを備えている。
【００２４】
紙おむつ本体１０は、例えば、人体との接触面側に設けられる透液性の不織布等からなる表面シート１０ａ、着用時に外部側に設けられる不透液性の裏面シート１０ｂ、表面シート１０ａと裏面シート１０ｂとの間に介装される吸収体１２、表面シート１０ａ上の吸収体１２の両側部に紙おむつ本体１０の長手方向に沿って備えられるギャザーシート１３，１３、このギャザーシート１３，１３よりも紙おむつ本体１０の幅方向の内側の表面シート１０ａ上に紙おむつ本体１０の長手方向に沿うように備えられる突出部１４，１４等を備えて構成される。
ここで、内側とは、紙おむつ１０の幅方向の中央側をいい、外側とは、紙おむつ１０の幅方向の中央から離れる側をいう。
【００２５】
紙おむつ本体１０は、人体の股部を腹側から背側にかけて覆うように、一方の端部に腹側部１５が形成され、他方の端部に背側部１６が形成されている。また、腹側部１５と背側部１６との間が股下部１７となっている。股下部１７の両縁部は、内側に凹むように形成され、紙おむつ１が着用された際に着用者の脚の周りを囲む脚開口部１８，１８となっている。
【００２６】
そして、紙おむつ本体１０の腹側部１５の端部１５１と、背側部１６の端部１６１とは、紙おむつ１が着用された際に、胴周りを形成するようになっている。特に、胴周りを形成する部分として、腹側部１５において股下部１７よりも両外側に延出した腹側延出部１５２，１５２と、背側部１６において股下部１７よりも両外側に延出した背側延出部１６２，１６２と、が形成されている。また、背側部１６の背側延出部１６２，１６２の側縁部１６３，１６３には、それぞれ外側に突出した止着部２０，２０が設けられている。
【００２７】
また、背側部１６の長手方向の縁部１６４の中央部には、糸ゴム等の弾性部材１６４ａが幅方向に沿って設けられ、この弾性部材１６４ａにより平面ギャザー１６５が形成され、着用者の胴周りにフィットするように伸縮自在な構造となっている。
【００２８】
吸収体１２は、紙おむつ１の使用時に、体液としての尿等の水様成分を吸収するものであり、例えば、図４に示すように、綿やパルプ等の吸収性繊維素材や、高吸収性ポリマーのような高吸水性樹脂とが組み合わされて形成された本体部１２ｅがシート材１２ｄにより包まれて構成されている。尚、本体部１２ｅは、単層構造であっても良いし、複数層に分かれた構造でも構わない。また、シート材１２ｄは、例えば、透液性のクレープ紙，透液性のフィルム等である。
吸収体１２は、例えば、図１，図３に示すように、腹側部１５から背側部１６に亘る長さに形成されている。また、吸収体１２の幅方向の長さは、股下部１７の形状に合わせて中央部１２ａが狭く、長手方向の腹側端部１２ｂ、背側端部１２ｃは、腹側部１５の腹側延出部１５２、背側部１６の背側延出部１６２の形状に合わせて、中央部１２ａよりも幅が広く形成されている。
また、吸収体１２は、後述するインナーパッドＰが紙おむつ１の表面シート１０ａ上に配置された際に、インナーパッドＰの体液吸収表示部Ｐ４（後述）が位置する部分の少なくとも一部に、略矩形状の貫通穴部１２ｆを備えている。より具体的には、吸収体１２は、例えば、図４（ｂ）に示すように、中央部１２ａの腹側部１５側がくり貫かれており、略矩形状の貫通穴部１２ｆが形成されている。
ここで、貫通穴部１２ｆの形成方法についてより詳細に説明する。
まず、吸収性繊維素材と高吸収性樹脂とを所定の割合で配合したものを固着させた本体部１２ｅをシート材１２ｄで包んで形状を保持することにより、貫通穴部１２ｆのない吸収体１２を製造する。次いで、例えば、打ち抜き加工等により、この吸収体１２の中央部１２ａの腹側部１５側をくり貫くことによって、略矩形状の貫通穴部１２ｆを形成する。
【００２９】
表面シート１０ａは、有孔または無孔の不織布や、多孔性プラスチックシート、また不織布にプラスチックシートがラミネートされたシートなどにより形成されており、尿などの体液を透過させることができる素材である。このような不織布を構成する素材繊維としては、例えば、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
そして、表面シート１０ａは、例えば、図４（ｂ）に示すように、吸収体１２の貫通穴部１２ｆに相当する部分に、インナーパッドＰの体液吸収表示部Ｐ４の少なくとも一部が裏面シート１０ｂ側から視認可能となるように構成された第１視認部１０ｃを備えている。第１視認部１０ｃは、例えば、透明若しくは半透明の透液性のシート等で形成され、第１視認部１０ｃと表面シート１０ａの他の部分とは一体的に形成されているが、別々の材料のものを貼り合わせたものであってもよい。ここで、透明若しくは半透明の透液性のシートとは、例えば、光透過率の高い（例えば、３０〜１００％、より好ましくは、６０〜１００％）不織布又はフィルム等である。また、光透過率の高い不織布とは、エアスルー不織布やスパンボンド不織布等であって、その目付が１５（ｇ／ｍ２）以下である不織布であって、より好ましくは、１０〜１５（ｇ／ｍ２）である不織布である。
なお、表面シート１０ａの貫通穴部１２ｆに相当する位置に孔径０．２〜６ｍｍの開孔が多数設けられることにより、第１視認部１０ｃが設けられてもよい。
【００３０】
裏面シート１０ｂは、ポリエチレン等の少なくとも遮水性を有し、尿などの体液を透過させることができないシートにより形成されている。また、ムレ防止の観点から透湿性を有するシートであることが好ましく、この遮水性と透湿性とを具備するシートとしては、ポリエチレンやポリプロピレン等のオレフィン系樹脂中に無機充填剤を溶融混練してシートを成形した後、一軸または二軸方向に延伸することにより得られる微多孔性シートが好適に用いられる。
そして、裏面シート１０ｂは、例えば、吸収体１２の貫通穴部１２ｆに相当する部分に、インナーパッドＰの体液吸収表示部Ｐ４の少なくとも一部が、外部から第１視認部１０ｃを介して視認可能となるように構成された第２視認部１０ｄを備えている。第２視認部１０ｄは、例えば、透明若しくは半透明の不透液性のシート等により形成されており、第２視認部１０ｄと裏面シート１０ｂの他の部分と一体的に形成されているが、別々の材料のものを貼り合わせたものであってもよい。ここで、透明若しくは半透明の不透液性のシートとは、例えば、光透過率の高い（例えば、３０〜１００％、より好ましくは、６０〜１００％）不織布又はフィルム等である。また、光透過率の高い不織布とは、エアスルー不織布やスパンボンド不織布等であって、その目付が１５（ｇ／ｍ２）以下である不織布であって、より好ましくは、１０〜１５（ｇ／ｍ２）である不織布である。
【００３１】
ギャザーシート１３，１３は、表面シート１０ａ側に吸収体１２の中央部１２ａを挟む幅方向の両側部に、腹側部１５の長手方向の縁部１５４から背側部１６の長手方向の縁部１６４に亘ってそれぞれ備えられている。
このギャザーシート１３，１３の幅方向外側の部分は、図４に示すように、裏面シート１０ｂの表面シート１０ａ側の面に固着されており、吸収体１２の側方で表面シート１０ａ側に周り込むようにして表面シート１０ａの上面に固着されている。そして、このギャザーシート１３の幅方向内側の部分は、表面シート１０ａに固定されておらず自由部１３１となっている。
【００３２】
そして、ギャザーシート１３の自由部１３１は、図４に示すように、当該自由部１３１の幅方向外側の第１折り返し部１３ａにおいて幅方向外側に折り返されるとともに、幅方向中央より内側の第２折り返し部１３ｂにおいて幅方向内側に折り返されている。さらに、第２折り返し部１３ｂに一本と、自由部１３１の先端の自由端部１３４に二本、計三本の糸ゴム１３ｃが長手方向に沿って設けられており、自由部１３１は、断面略く字状に表面シート１０ａから立ち上がった立体ギャザーを形成している。
【００３３】
図５に、紙おむつ１の背側部１６の一部を拡大した断面斜視図を示す。
腹側部１５、背側部１６におけるギャザーシート１３の自由部１３１の幅方向の長さは、図１，図３，図５に示すように、吸収体１２の形状に合わせて、股下部１７の幅方向の長さよりも大きくなっている。これにより、ギャザーシート１３と表面シート１０ａとの間にポケット部１００，１００，１００，１００が、腹側部１５、背側部１６とにそれぞれ２つずつ、計４つ形成されている。
【００３４】
また、ギャザーシート１３と裏面シート１０ｂとの固着部分において、ギャザーシート１３，１３と裏面シート１０ｂとの間に、脚開口部１８，１８の両縁部から腹側部１５の腹側延出部１５２，１５２、及び背側部１６の背側延出部１６２，１６２にかけて、脚開口部１８，１８の両側縁部の湾曲形状に合わせて糸ゴム等の弾性部材１３ｄがそれぞれ設けられ、この弾性部材１３ｄにより平面ギャザー１３７，１３７が形成されている。
【００３５】
また、紙おむつ１の背側部１６には、図１、図３、図５に示すように、不透液性の不織布等からなるバックギャザーシート１９の幅方向の端部１９ａ、１９ｂが左右のギャザーシート１３，１３の間を掛け渡すように固着されている。そして、このバックギャザーシート１９の長手方向背側端部１９ｃが、裏面シート１０ｂに固着され、縁部１６４において平面ギャザー１６５を形成している。また、バックギャザーシート１９の長手方向腹側端部１９ｄは、固定されておらず、表面シート１０ａ上を一部覆う様に延出しており、その先端部分に糸ゴムが幅方向に沿って設けられ、伸縮可能に形成されている。そして、このバックギャザーシート１９と、表面シート１０ａとの間の隙間に、後ポケット部２００が形成されている。
【００３６】
突出部１４，１４は、吸収体１２上面の、ギャザーシート１３，１３よりも幅方向内側に、長手方向に沿って設けられている。この突出部１４，１４は、表面シート１０ａを長手方向に沿って二つ折りにした部分を固着させることにより表面シート１０ａの一部を突出させて形成される。
【００３７】
止着部２０，２０は、例えば、不織布等で形成されており、背側部１６の延出部１６２，１６２の左右側方に突出するように、備えられている。そして、止着部２０，２０には、例えば、それぞれファスニングテープ２１，・・・が設けられており、腹側部１５の裏面シート１０ｂ上の被着部３０は、ファスニングテープ２１，・・・を係止するための面ファスナ等から形成されている。そして、この４つのファスニングテープ２１，・・・が被着部３０に係止するようになっている。
【００３８】
また、紙おむつ１は、表面シート１０ａの上に、インナーパッドＰを配置して使用される。図６に、インナーパッドＰをバックシートＰ２（後述）側から見た平面図を示し、図７に、インナーパッドＰが配置された紙おむつ１のＡ−Ａ矢視断面図を示し、図８に、インナーパッドＰが配置された紙おむつ１の背側部１６の一部を拡大した断面斜視図を示す。
【００３９】
インナーパッドＰは、例えば、尿取りパッド、失禁パッド等であり、体液の吸収に対して紙おむつ１を補助するためのものであると共に、紙おむつ１そのものの取換え頻度を少なくすることにより使用コストを抑えるためのものでもある。インナーパッドＰは、例えば、図７に示すように、透液性のトップシートＰ１，不透液性のバックシートＰ２，当該トップシートＰ１とバックシートＰ２との間に介装される吸収部Ｐ３等を備えて、紙おむつ１の吸収体１２と略同形状に形成されている。吸収部Ｐ３は、本体部１２ｅと同様、例えば、綿やパルプ等の吸収性素材や、高吸収性ポリマーのような高吸水性樹脂とが組み合わされて形成された本体部１２ｅが、透液性のクレープ紙等のシート材１２ｄにより包まれて覆われたものにより構成されており、体液としての尿等の水様成分を吸収するものである。
【００４０】
また、例えば、図６，図７に示すように、インナーパッドＰのバックシートＰ２には、体液に濡れることにより変色して、体液を吸収したか否かを判別する体液吸収表示部Ｐ４が設けられている。体液吸収表示部Ｐ４は、例えば、図６に示すように、インナーパッドＰの略中央部に当該インナーパッドＰの長手方向に沿って直線状に３本設けられている。
体液吸収表示部Ｐ４は、例えば、バックシートＰ２の内面に水溶性インク、ホットメルト接着剤による印刷などにより形成される。
【００４１】
そして、図７に示すように、インナーパッドＰは、例えば、紙おむつ１の表面シート１０ａ上に、ギャザーシート１３，１３の間に配置される。ギャザーシート１３，１３は略く字状に立ち上がっており、インナーパッドＰの側部がギャザーシート１３，１３により固定されるようになっている。固定方法としては、例えば、インナーパッドＰのバックシートＰ２に粘着部（図示省略）を設け、この粘着部に表面シート１０ａを着脱自在に接着させる。
【００４２】
また、例えば、図６，図８に示すように、インナーパッドＰは、紙おむつ１の背側部１６に相当する部分が幅方向外側に延出した形状となっており、インナーパッドＰの当該延出した部分が、ポケット部１００，１００に挿入され、インナーパッドＰがずれにくいようになっている。同様に、インナーパッドＰは、紙おむつ１の腹側部１５に相当する部分が幅方向外側に延出した形状となっており、インナーパッドＰの当該延出した部分が、ポケット部１００，１００に挿入され、インナーパッドＰがずれにくいようになっている。
また、インナーパッドＰの背側部１６側の端部は、後ポケット部２００に挿入されるようになっており、これにより、インナーパッドＰがずれにくいようになっている。図９に、インナーパッドＰが配置された紙おむつ１の着用時の状態に組み立てた斜視図を示す。
【００４３】
そして、図９に示すように、上述のようにして紙おむつ１に配置されたインナーパッドＰの体液吸収表示部Ｐ４の一部は、紙おむつ１が着用者に着用された際に、表面シート１０ａの第１視認部１０ｃ，吸収体１２の貫通穴部１２ｆ，裏面シート１０ｂの第２視認部１０ｄ等を介して視認できるようになっている。
【００４４】
以上に説明した、第１の実施形態による紙おむつ１によれば、インナーパッドＰが紙おむつ１に配置された際に、吸収体１２の貫通穴部１２ｆと、表面シート１０ａの第１視認部１０ｃと、裏面シート１０ｂの第２視認部１０ｄと、を介して、インナーパッドＰの体液吸収表示部Ｐ４の少なくとも一部が外部から視認可能となるように構成されているので、紙おむつ１を外さずとも、体液を吸収したか否かを判別する体液吸収表示部Ｐ４を確認することができることとなって、インナーパッドＰの交換時期を容易に判断することができる。
【００４５】
また、貫通穴部１２ｆは、吸収体１２がくり貫かれて形成されるので、吸収体１２に貫通穴部１２ｆを容易に形成することができる。また、貫通穴部１２ｆは、吸収体１２がくり貫かれて形成されるので、既存の吸収体を用いることができることとなって、製造設備の大幅な改造をしなくとも製造できる。
【００４６】
また、第１視認部１０ｃ及び第２視認部１０ｄは、透明若しくは半透明のシートにより形成されているので、当該第１視認部１０ｃ及び第２視認部１０ｄを介してインナーパッドＰの体液吸収表示部Ｐ４を確実に視認できることとなって、インナーパッドＰの交換時期をさらに容易に判断することができる。
【００４７】
（第２の実施形態）
本発明の第２の実施形態に係る紙おむつ１ａは、吸収体１２０の構成のみが、第１の実施形態に係る紙おむつ１と異なるので、第１の実施形態に係る紙おむつ１と同様の構成については、同一の符号を用いるとともにその説明を省略する。図１０（ａ）に、第２の実施形態に係る紙おむつ１ａのＡ−Ａ矢視断面図を示し、図１０（ｂ）に、第２の実施形態に係る紙おむつ１ａのＢ−Ｂ矢視断面図を示す。
【００４８】
吸収体１２０は、紙おむつ１ａの使用時に、体液としての尿等の水様成分を吸収するものであり、例えば、例えば、綿やパルプ等の吸収性繊維素材や、高吸収性ポリマーのような高吸水性樹脂とが組み合わされて形成された本体部１２０ｅがシート材１２０ｄにより包まれて構成されている。尚、本体部１２０ｅは、単層構造であっても良いし、複数層に分かれた構造でも構わない。また、シート材１２０ｄは、例えば、透液性のクレープ紙，透液性のフィルム等である。
吸収体１２０は、腹側部１５から背側部１６に亘る長さに形成されている。また、吸収体１２０の幅方向の長さは、股下部１７の形状に合わせて中央部１２０ａが狭く、長手方向の腹側端部１２０ｂ、背側端部１２０ｃは、腹側部１５の腹側延出部１５２、背側部１６の背側延出部１６２の形状に合わせて、中央部１２０ａよりも幅が広く形成されている。
また、本体部１２０ｅは、例えば、図１０（ｂ）に示すように、インナーパッドＰが紙おむつ１ａの表面シート１０ａ上に配置された際に、体液吸収表示部Ｐ４が位置する部分の少なくとも一部に、略矩形状の貫通穴部１２０ｆを備えている。より具体的には、吸収体１２０の本体部１２０ｅは、貫通穴部１２０ｆを備える形状に成形され、当該本体部１２０ｅがシート材１２０ｄにより包まれることにより、吸収体１２０が形成される。
【００４９】
また、シート材１２０ｄは、貫通穴部１２０ｆに相当する部分に一方の面側から他方の面側を視認可能なシート材視認部１２０ｇを備えている。シート材視認部１２０ｇは、例えば、表面シート１０ａと同様の透明又は半透明の透液性のシート等により形成されており、シート材１２０ｄの他の部分と一体的に形成されているが、別々の材料のものを貼り合わせたものであってもよい。そして、シート材１２０ｄにおいて、表面シート１０ａ側のシート材視認部１２０ｇと、裏面シート１０ｂ側のシート材視認部１２０ｇとは、例えば、透明若しくは半透明のホットメルト等のヒートシールにより接着されている。なお、シート材視認部１２０ｇは、シート材１２０ｄの貫通穴部１２０ｆに相当する部分に孔径０．２〜６ｍｍの開孔を多数設けることにより、形成されてもよい。
【００５０】
ここで、貫通穴部１２０ｆの形成方法についてより詳細に説明する。
まず、吸収性繊維素材と高吸収性樹脂とを所定の割合で配合したものを、貫通穴部１２０ｆを備える形状に固着することにより本体部１２０ｅを形成し、当該本体部１２０ｅをシート材視認部１２０ｇを備えるシート材１２０ｄで包んで保持する。次いで、シート材１２０ｄにおいて、表面シート１０ａ側のシート材視認部１２０ｇと、裏面シート１０ｂ側のシート材視認部１２０ｇとを、例えば、透明若しくは半透明のホットメルト等のヒートシールにより接着することにより、吸収体１２０に貫通穴部１２０ｆを形成する。
【００５１】
以上に説明した第２の実施形態に係る紙おむつ１ａによれば、インナーパッドＰが紙おむつ１ａに配置された際に、吸収体１２０の本体部１２０ｅに形成された貫通穴部１２０ｆと、シート材１２０ｄのシート材視認部１２０ｇと、表面シート１０ａの第１視認部１０ｃと、裏面シート１０ｂの第２視認部１０ｄと、を介して、インナーパッドＰの体液吸収表示部Ｐ４の少なくとも一部が外部から視認可能となるように構成されているので、紙おむつ１ａを外さずとも、体液を吸収したか否かを判別する体液吸収表示部Ｐ４を確認することができることとなって、インナーパッドＰの交換時期を容易に判断することができる。
また、予め貫通穴部１２０ｆが形成された吸収体１２０の本体部１２０ｅを用いるので、吸収体１２をくり貫いて貫通穴部１２ｆを形成する場合に比べて、無駄を少なくすることができる。より具体的には、吸収体１２をくり貫いて貫通穴部１２ｆを形成する場合には、吸収体１２のくり貫かれて取り除かれた部分が無駄となってしまうが、本実施形態の吸収体１２０ｆは、予め本体部１２０ｅを成形する際に貫通穴部１２０ｆが形成されるので、当該無駄を省くことができる。
【００５２】
また、シート材１２０ｄにおいて、表面シート１０ａ側のシート材視認部１２０ｇと裏面シート１０ｂ側のシート材視認部１２０ｇとが接着されているので、シート材１２０ｄのシート材視認部１２０ｇが密着されることでインナーパッドＰの体液吸収表示部Ｐ４がより視認しやすくなることとなって、インナーパッドＰの交換時期をより容易に判断することができる。
【００５３】
また、第１視認部１０ｃ及び第２視認部１０ｄは、透明若しくは半透明のシートにより形成されているので、当該第１視認部１０ｃ及び第２視認部１０ｄを介してインナーパッドＰの体液吸収表示部Ｐ４を確実に視認できることとなって、インナーパッドＰの交換時期をさらに容易に判断することができる。
【００５４】
なお、シート材１２０ｄにおいて、表面シート１０ａ側のシート材視認部１２０ｇと裏面シート１０ｂ側のシート材視認部１２０ｇとが接着されていなくてもよい。
【００５５】
（第３の実施形態）
本発明の第３の実施形態に係る紙おむつ１ｂは、第２視認部１００ｄの構成のみが、第１の実施形態に係る紙おむつ１と異なるので、第１の実施形態に係る紙おむつ１と同様の構成については、同一の符号を用いるとともにその説明を省略する。図１１に、第３の実施形態に係る紙おむつ１ｂを着用時の状態に組立てた斜視図を示す。
【００５６】
第３の実施形態に係る第２視認部１００ｄには、例えば、所定の模様Ｍが形成されている。より具体的には、第２視認部１００ｄには、透明若しくは半透明の部分と不透明の部分とが組み合わされた模様Ｍが施されている。当該模様Ｍは、例えば、透明又は半透明な不織布等により形成される第２視認部１００ｄのうち不透明にしたい部分を熱処理等することにより、形成される。なお、模様Ｍは、図示例に限られるものではない。
【００５７】
以上に説明した第３の実施形態に係る紙おむつ１ｂによれば、第１の実施形態に係る紙おむつ１及び第２の実施形態に係る紙おむつ１ａと同様の効果が得られるのは勿論のこと、特に、第２視認部１００ｄに、所定の模様Ｍが形成されているので、当該模様Ｍにより体液吸収表示部Ｐ４を適度に隠すことができることとなって、当該紙おむつ１ｂの着用者の着用に対する抵抗感を低減することができる。
【００５８】
（第４の実施形態）
本発明の第４の実施形態に係る紙おむつ１ｃは、裏面シート１００ｂ及び裏面シート１００ｂに設けられた蓋部３００の構成のみが、第１の実施形態に係る紙おむつ１と異なるので、第１の実施形態に係る紙おむつ１と同様の構成については、同一の符号を用いるとともにその説明を省略する。図１２に、第４の実施形態に係る紙おむつ１ｃを着用時の状態に組立てた斜視図を示す。
【００５９】
裏面シート１００ｂは、例えば、吸収体１２の貫通穴部１２ｆに相当する部分に、インナーパッドＰの体液吸収表示部Ｐ４の少なくとも一部が、外部から第１視認部１０ｃを介して視認可能となるように構成された第２視認部１０ｄを備えている。第２視認部１０ｄは、例えば、透明若しくは半透明の不透液性の不織布又はフィルム等により形成されており、第２視認部１０ｄと裏面シート１００ｂの他の部分とは一体的に形成されているが、別々の材料のものを貼り合わせたものであってもよい。
【００６０】
また、裏面シート１００ｂには、第２視認部１０ｄを覆う蓋部３００が開閉自在に設けられている。図１２（ａ）に、蓋部３００が閉じられた状態の紙おむつ１ｃを示し、図１２（ｂ）に、蓋部３００が開かれた状態の紙おむつ１ｃを示す。
【００６１】
蓋部３００は、例えば、不透明な不透液性の不織布等から形成され、当該蓋部３００の股下部１７側の端部３０１が裏面シート１００ｂの外面に固着され、蓋部３００の腹側部１５側の端部３０２が裏面シート１００ｂに着脱可能となるように設けられている。より具体的には、蓋部３００の腹側部１５側の端部３０２には、面ファスナ３０３，３０３が設けられており、裏面シート１００ｂの第２視認部１０ｄの腹側部１５の端部１５１側には、面ファスナ３０３，３０３を係止するためのファスニングテープ３０４が設けられており、当該面ファスナ３０３，３０３とファスニングテープ３０４とが係止されることにより、蓋部３００が閉じられるようになっている。
【００６２】
また、裏面シート１００ｂ及び蓋部３００の外面には図柄ｚが施されており、蓋部３００が閉じられた際、裏面シート１００ｂの図柄ｚと蓋部３００の図柄ｚとが連続するようになっている。例えば、図１２（ａ）に示すように、蓋部３００が閉じられた際、裏面シート１００ｂの図柄ｚと蓋部３００の図柄ｚとが連続することにより、紙おむつ１ｃがブリーフのように見えるように施された図柄ｚが施されている。なお、図柄ｚは、これに限られるものではなく、例えば、花柄や幾何学的な模様等であってもよい。
【００６３】
以上に説明した第４の実施形態に係る紙おむつ１ｃによれば、第１の実施形態に係る紙おむつ１及び第２の実施形態に係る紙おむつ１ａと同様の効果が得られるのは勿論のこと、特に、裏面シート１００ｂに、第２視認部１０ｄを覆う蓋部３００が開閉自在に設けられているので、当該蓋部３００により必要でない場合には、外部からインナーパッドＰの体液吸収表示部Ｐ４が視認されないこととなって、当該紙おむつ１ｃの着用者の着用に対する抵抗感をより低減することができる。
【００６４】
また、紙おむつ１ｃには、ブリーフのように見えるよう図柄ｚが施されるので、当該紙おむつ１ｃを下着感覚で着用することができ、紙おむつ１ｃの着用者の着用に対する抵抗感をさらに低減することができる。
【００６５】
なお、上記の実施形態は、本発明を例示したに過ぎず、適宜変更可能である。例えば、インナーパッドＰは、突出部１４，１４の間に配置されるものであってもよい。
また、貫通穴部１２ｆの形状は略矩形状に限られるものではなく、体液吸収表示部Ｐ４が視認できる形状であればよい。
また、インナーパッドＰの体液吸収表示部Ｐ４は、直線に限られるものではなく、例えば、花柄や幾何学的な模様等であってもよい。
【図面の簡単な説明】
【００６６】
【図１】本発明を適用した紙おむつの展開斜視図である。
【図２】図１の紙おむつの着用時における斜視図である。
【図３】図１の紙おむつの展開平面図である。
【図４】本発明の第１の実施形態に係る紙おむつの図１のＡ−Ａ矢視断面図（図４（ａ）），図１のＢ−Ｂ矢視断面図（図４（ｂ））である。
【図５】図１の背側部の一部を拡大した断面斜視図である。
【図６】本発明に係るインナーパッドの平面図である。
【図７】インナーパッドを配置した場合のＡ−Ａ断面図である。
【図８】インナーパッドを配置した場合の背側部の一部を拡大した断面斜視図である。
【図９】インナーパッドを配置した本発明に係る紙おむつの着用時における斜視図である。
【図１０】本発明の第２の実施形態に係る紙おむつの図１のＡ−Ａ矢視断面図（図１０（ａ）），Ｂ−Ｂ矢視断面図（図１０（ｂ））である。
【図１１】本発明の第３の実施形態に係る紙おむつの着用時における斜視図である。
【図１２】インナーパッドを配置した本発明の第４の実施形態に係る紙おむつの着用時における斜視図である。
【符号の説明】
【００６７】
１，１ａ，１ｂ，１ｃ  紙おむつ（吸収性物品）
１０ａ  表面シート
１０ｂ，１００ｂ  裏面シート
１０ｃ  第１視認部
１０ｄ，１００ｄ  第２視認部
１２，１２０  吸収体
１２ｄ，１２０ｄ  シート材
１２ｅ，１２０ｅ  本体部
１２ｆ，１２０ｆ  貫通穴部
１２０ｇ  シート材視認部
３００  蓋部
Ｍ  模様
Ｐ  インナーパッド
Ｐ４  体液吸収表示部
【図１】
0004824377.tif 000002
【図２】
0004824377.tif 000003
【図３】
0004824377.tif 000004
【図４】
0004824377.tif 000005
【図５】
0004824377.tif 000006
【図６】
0004824377.tif 000007
【図７】
0004824377.tif 000008
【図８】
0004824377.tif 000009
【図９】
0004824377.tif 000010
【図１０】
0004824377.tif 000011
【図１１】
0004824377.tif 000012
【図１２】
0004824377.tif 000013